(57)【特許請求の範囲】
【請求項１】
温度補償機能を備える伝送速度判別装置において、
入力された光信号を電気信号に変換する光電変換部と、
前記電気信号から前記光信号の伝送速度を感知し、前記伝送速度を示す認識信号を出力する伝送速度感知部と、
前記認識信号を増幅した伝送速度感知信号を出力するＤＣ（Ｄｉｒｅｃｔ  Ｃｕｒｒｅｎｔ）増幅部と、
前記ＤＣ増幅部の動作温度を感知し、前記動作温度を示す温度信号を出力する温度感知部と、
前記ＤＣ増幅部の動作温度の変化による出力電圧変化量を相殺するために、予め設定された基準信号と前記温度信号との電圧レベル差を増幅した温度補償信号を出力する変化量増幅部と、
前記伝送速度感知信号と前記温度補償信号とを結合して温度補償された伝送速度感知信号を出力する電圧加算部と、
前記温度補償された伝送速度感知信号の電圧レベルから前記入力された光信号の伝送速度を把握する伝送速度判断部と、
を含むことを特徴とする温度補償機能を備える伝送速度判別装置。
【請求項２】
前記光電変換部から出力される電気信号を構成する“０”及び“１”の電圧レベルがそれぞれ一定の値を有するように、前記電気信号を規格化して前記伝送速度感知部に出力する信号処理部をさらに備えることを特徴とする請求項１記載の温度補償機能を備える伝送速度判別装置。
【請求項３】
前記ＤＣ増幅部は、動作温度が増加するにつれて、出力する伝送速度感知信号の電圧レベルが増加することを特徴とする請求項１記載の温度補償機能を備える伝送速度判別装置。
【請求項４】
前記変化量増幅部は、前記ＤＣ増幅部の動作温度が増加するにつれて、出力する温度補償信号の電圧レベルが低減することを特徴とする請求項１記載の温度補償機能を備える伝送速度判別装置。
【発明の詳細な説明】
【０００１】
【発明の属する技術分野】
本発明は、光伝送システム（ｌｉｇｈｔ  ｔｒａｎｓｍｉｓｓｉｏｎ  ｓｙｓｔｅｍ）に関し、特に、光伝送システムに備わる伝送速度判別装置に関する。
【０００２】
【従来の技術】
光伝送システムでは、多様なプロトコル（ｐｒｏｔｏｃｏｌ）及びそれによる多様な伝送速度（ｂｉｔ−ｒａｔｅ）が採用される。例えば、ＦＤＤＩ（Ｆｉｂｅｒ  Ｄｉｓｔｒｉｂｕｔｅｄ  Ｄａｔａ  Ｉｎｔｅｒｆａｃｅ）、ＥＳＣＯＮ（Ｅｎｔｅｒｐｒｉｓｅ  Ｓｙｓｔｅｍｓ  ＣＯＮｎｅｃｔｉｖｉｔｙ）、光ファイバチャネル（Ｆｉｂｅｒ  Ｃｈａｎｎｅｌ）、ギガビットイーサネット（登録商標）（Ｇｉｇａｂｉｔ  Ｅｔｈｅｒｎｅｔ（登録商標））、ＡＴＭ（Ａｓｙｎｃｈｒｏｎｏｕｓ  Ｔｒａｎｓｆｅｒ  Ｍｏｄｅ）などがあり、その伝送速度は、それぞれ１２５Ｍｂ／ｓ、１５５Ｍｂ／ｓ、２００Ｍｂ／ｓ、６２２Ｍｂ／ｓ、１０６２Ｍｂ／ｓ、１．２５Ｇｂ／ｓ、及び２．５Ｇｂ／ｓなどで多様である。このように、多様なプロトコル及びそれによる伝送速度のうち、該当光伝送システムに適当な１つのプロトコル／伝送速度が適切に選択されて採用される。前記のような１つのプロトコル／伝送速度が採用された光伝送システムでは、光信号の伝送速度が予め設定されているので、前記光伝送システムに使用される光受信装置は、前記既設定された伝送速度に合わせて設計される。前記光受信装置は、入力された光信号を電気信号に変換し、前記電気信号から雑音が除去された元のデータを復元する。
【０００３】
図１は、従来の伝送速度判別装置を示す。前記伝送速度判別装置は、光電変換部１１０、信号処理部１２０、伝送速度感知部１３０、ＤＣ増幅部１４０、及び伝送速度判断部１５０から構成される。
【０００４】
前記光電変換部１１０は、入力された光信号を電気信号１１２に変換して出力する。通常的に、前記光電変換部１１０としては、フォトダイオード（ｐｈｏｔｏｄｉｏｄｅ）が使用される。
【０００５】
前記信号処理部１２０は、前記電気信号１１２を規格化された電気信号１２２に増幅する。つまり、前記電気信号１２２を構成するレベル“０”及びレベル“１”がそれぞれ一定の値を有するようにすることである。
【０００６】
前記伝送速度感知部１３０は、前記規格化された電気信号１２２の伝送速度に比例するパルス（ｐｕｌｓｅ）数を有する内部信号を生成し、前記内部をフィルタリングした認識信号１３２を前記ＤＣ増幅部１４０に出力する。
【０００７】
前記ＤＣ増幅部１４０は、前記認識信号１３２を増幅した伝送速度感知信号１４２を出力し、前記伝送速度感知信号１４２の電圧レベルは伝送速度によって線形的に増加する。
【０００８】
前記伝送速度判断部１５０は、前記伝送速度感知信号１４２の電圧レベルから前記光信号の伝送速度を把握する。
【０００９】
しかしながら、従来の伝送速度判別装置が備えるＤＣ増幅部は、動作温度の変化に敏感であり、動作温度の変化によってその出力も変化する。この時、伝送速度判断部は、前記変化された出力の電圧レベル値から光信号の伝送速度を判別するので、前記伝送速度判断部が把握した伝送速度が不正確である可能性があるという問題点がある。
【００１０】
【発明が解決しようとする課題】
本発明の目的は、前記従来の問題点を解決するために、動作温度の変化に安定的な伝送速度判別装置を提供することにある。
【００１１】
【課題を解決するための手段】
前記の目的を達成するための本発明による温度補償機能を備える伝送速度判別装置は、入力された光信号を電気信号に変換する光電変換部と、前記電気信号から前記光信号の伝送速度を感知し、前記伝送速度を示す認識信号を出力する伝送速度感知部と、前記認識信号を増幅した伝送速度感知信号を出力するＤＣ増幅部と、前記ＤＣ増幅部の動作温度を感知し、前記動作温度を示す温度信号を出力する温度感知部と、前記ＤＣ増幅部の動作温度の変化による出力電圧変化量を相殺するために、予め設定された基準信号と前記温度信号との電圧レベル差を増幅した温度補償信号を出力する変化量増幅部と、前記伝送速度感知信号と前記温度補償信号とを結合して温度補償された伝送速度感知信号を出力する電圧加算部と、前記温度補償された伝送速度感知信号の電圧レベルから前記入力された光信号の伝送速度を把握する伝送速度判断部と、を含む。
【００１２】
【発明の実施の形態】
以下、本発明による好適な一実施形態を添付図面を参照しつつ詳細に説明する。下記説明において、本発明の要旨を明確にするために関連した公知機能または構成に対する具体的な説明は省略する。
【００１３】
図２は、本発明の好適な実施形態による温度補償機能を備える伝送速度判別装置を示す。前記伝送速度判別装置は、光信号を電気信号２１２に変換する光電変換部２１０と、入力された電気信号２１２の電圧レベルを規格化して出力する信号処理部２２０と、認識信号２３２を出力する伝送速度感知部２３０と、ＤＣ増幅部２４０と、前記ＤＣ増幅部２４０の動作温度を感知する温度感知部２５０と、温度補償信号２６２を出力する変化量増幅部２６０と、２つの入力信号を結合する電圧加算部２７０と、前記光信号の伝送速度を把握する伝送速度判断部２８０と、から構成される。
【００１４】
前記光電変換部２１０は、入力される光信号を電気信号２１２に変換して出力し、前記光電変換部２１０としては、フォトダイオード、ＣＣＤ（ｃｈａｒｇｅ  ｃｏｕｐｌｅｄ  ｄｅｖｉｃｅｓ）などを使用することができる。
【００１５】
前記信号処理部２２０は、前記電気信号２１２を表現する“０”及び“１”の電圧レベルがそれぞれ一定の値を有するように増幅する。
【００１６】
図３Ａは、図２の信号処理部２２０の構成を示し、前記信号処理部２２０は、前置増幅器３１０及び制限増幅器（ｌｉｍｉｔｉｎｇ  ａｍｐｌｉｆｉｅｒ）３２０から構成される。
【００１７】
前記前置増幅器３１０は、光電変換部２１０から入力される電気信号２１２を増幅し、前記制限増幅器３２０は、前記増幅された電気信号３１２の“０”及び“１”の電圧レベルをそれぞれ一定の値に維持させる。
【００１８】
前記伝送速度感知部２３０は、前記信号処理部２２０から入力された電気信号２２２から前記光信号の伝送速度を感知し、前記伝送速度を示す認識信号２３２を出力する。
【００１９】
図３Ｂは、図２の伝送速度感知部２３０の構成を示す。前記伝送速度感知部２３０は、バッファ４１０、遅延器４２０、演算器４３０、フィルタ４４０、及びＡ／Ｄ変換器４５０から構成される。
【００２０】
前記バッファ４１０は、前記信号処理部２２０から入力された電気信号２２２を前記遅延器４２０及び前記演算器４３０に分配する。
【００２１】
前記遅延器４２０は、入力された電気信号４１２をある程度遅延させた遅延信号４２２を前記演算器４３０に出力する。
【００２２】
前記演算器４３０は、前記バッファ４１０から直接入力された電気信号４１４及び前記遅延器４２０から入力された遅延信号４２２を排他的論理和演算し、その認識信号４３２を出力する。この時、前記認識信号４３２は、前記遅延器４２０の遅延時間及び同一間隔のハイレベル（ｈｉｇｈ  ｌｅｖｅｌ）区間を有する多数のパルスで表現される。前記のような過程を通して入力された電気信号２２２の伝送速度の差によって前記認識信号４３２のパルス数の差が発生するようになり、その差は、前記電気信号２２２の伝送速度に比例する。
【００２３】
前記フィルタ４４０は、前記演算器４３０から入力された認識信号４３２をローパスフィルタリング（ｌｏｗ−ｐａｓｓ  ｆｉｌｔｅｒｉｎｇ）して出力し、前記Ａ／Ｄ変換器４５０は、前記フィルタリングされたアナログ信号４４２をディジタル信号に変換した認識信号２３２を出力する。
【００２４】
前記ＤＣ増幅部２４０は、前記認識信号２３２を増幅して前記電圧加算部２７０に出力する。前記ＤＣ増幅部２４０の出力特性が温度によって変化するので、前記ＤＣ増幅部２４０が出力する伝送速度感知信号２４２の電圧レベルは、温度変化に敏感である。特に、前記ＤＣ増幅部２４０に入力される認識信号２３２の伝送速度の差が小さい場合、前記伝送速度の差によるＤＣ電圧レベルの差は、温度によって変化される値より小さくなる。従って、周囲の温度が数十℃の程度で変化する場合は、判別可能の電圧レベルを有する伝送速度感知信号２４２の出力ができなくなる。つまり、前記伝送速度感知信号２４２の電圧レベルから前記光信号の伝送速度を把握する前記伝送速度判断部２８０は、前記光信号の伝送速度を正確に把握することができなくなる。
【００２５】
前記温度感知部２５０は、前記ＤＣ増幅部２４０の動作温度を感知し、前記動作温度を示す温度信号２５２を出力する。
【００２６】
前記変化量増幅部２６０は、予め設定された基準信号と前記温度信号２５２との電圧レベル差を増幅した温度補償信号２６２を出力する。つまり、前記変化量増幅部２６０は、動作温度に関係なく前記ＤＣ増幅部２４０が一定の増幅率を有するようにするための温度補償信号２６２を出力する。
【００２７】
前記電圧加算部２７０は、前記ＤＣ増幅部２４０から入力された伝送速度感知信号２４２と前記温度補償信号２６２とを結合し、その温度補償された伝送速度感知信号２７２を前記伝送速度判断部２８０に出力する。
【００２８】
前記伝送速度判断部２８０は、前記温度補償された伝送速度感知信号２７２の電圧レベルから前記光信号の伝送速度を把握する。つまり、前記温度補償された伝送速度感知信号２７２の電圧レベルが伝送速度によって線形的に増加するので、前記  伝送速度判断部２８０は、前記温度補償された伝送速度感知信号２７２の電圧レベルから前記光信号の伝送速度を把握することができる。
【００２９】
図４は、図２の伝送速度判別装置の温度補償方法を説明するための図である。図４において、点線５１０は、動作温度によるＤＣ増幅部２４０の出力電圧特性を示す。図示のように、前記ＤＣ増幅部２４０は、動作温度が増加するほど出力する伝送速度感知信号２４２の電圧レベルも増加する特性を有する。一点鎖線５２０は、前記ＤＣ増幅部２４０の動作温度による変化量増幅部２６０の出力電圧特性を示す。つまり、前記変化量増幅部２６０は、前記ＤＣ増幅部２４０の動作温度が増加するほど出力する温度補償信号２６２の電圧レベルは低減する特性を有する。実線５３０は、前記ＤＣ増幅部２４０の動作温度による電圧加算部２７０の出力電圧特性を示す。つまり、前記電圧加算部２７０が出力する温度補償された伝送速度感知信号２７２は、前記ＤＣ増幅部２４０の動作温度変化と関係なく一定の電圧レベルを有するようになる。
【００３０】
一方、前記本発明の詳細な説明では具体的な実施形態に挙げて説明してきたが、本発明の範囲内で様々な変形が可能であるということは勿論である。従って、本発明の範囲は前記実施形態によって限られるべきではなく、特許請求の範囲とそれに均等なものによって定められるべきである。
【００３１】
【発明の効果】
前述してきたように、本発明による伝送速度判別装置は、ＤＣ増幅部の動作温度を感知し、その動作温度による温度補償信号を発生させることによって、前記動作温度変化に安定的な伝送速度を判別することができるという利点がある。
【図面の簡単な説明】
【図１】従来の伝送速度判別装置を示す図である。
【図２】本発明の好適な実施形態による温度補償機能を備える伝送速度判別装置を示す図である。
【図３Ａ】図２の信号処理部の好適な実施形態を示す図である。
【図３Ｂ】図２の伝送速度感知部の好適な実施形態を示す図である。
【図４】図２の伝送速度判別装置の温度補償方法を説明するための図である。
【符号の説明】
１１０、２１０  光電変換部
１１２、１２２、２１２、２２２、４１２、４１４  電気信号
１２０、２２０  信号処理部
１３０、２３０  伝送速度感知部
１３２、２３２、４３２  認識信号
１４０、２４０  ＤＣ増幅部
１４２、２４２、２７２  伝送速度感知信号
１５０、２８０  伝送速度判断部
２５０  温度感知部
２５２  温度信号
２６０  変化量増幅部
２６２  温度補償信号
２７０  電圧加算部
３１０  前置増幅器
３１２  増幅された電気信号
３２０  制限増幅器
４１０  バッファ
４２０  遅延器
４２２  遅延信号
４３０  演算器
４４０  フィルタ
４４２  アナログ信号
４５０  Ａ／Ｄ変換器
【図１】
0003612042.tif 000002
【図２】
0003612042.tif 000003
【図３Ａ】
0003612042.tif 000004
【図３Ｂ】
0003612042.tif 000005
【図４】
0003612042.tif 000006